(57)【要約】  本明細書には、共有グラントフリー伝送によって支援される第５世代新無線アップリンク多重化のための方法、デバイス、システム、および手段が記載されている。ユーザ機器（ＵＥ）（１１１）は、第１の巡回冗長検査（ＣＲＣ）（５０４）をトランスポートブロック（ＴＢ）（５０２）に挿入し、ＣＲＣ（５０４）を含むＴＢ（５０２）を符号語（ＣＷ）に符号化する。第１の物理リソース（６１６）についてのプリエンプションインジケータを受信したことに基づいて、ＵＥ（１１１）は、レートマッチングのために、受信したアップリンク（ＵＬ）と受信したプリエンプションインジケータとに基づく長さを有するＣＷの第１の部分を選択する。ＵＥ（１１１）は、ＣＷの第１の部分を第１の物理リソース（６１６）を用いて送信し、ＣＷの第２の部分を選択し、第２のＣＲＣを選択したＣＷの第２の部分に挿入し、ＣＷの第２の部分を第２の物理リソース（６３４）を用いて送信する。
2021517761.tif 000002
【特許請求の範囲】
【請求項１】
通信のためのユーザ機器として構成された電子デバイスであって、前記ユーザ機器は、
第１の巡回冗長検査をトランスポートブロックに挿入し、
前記巡回冗長検査を含む前記トランスポートブロックを符号語に符号化し、
第１の物理リソースの一部についてのプリエンプションインジケータを受信し、
レートマッチングのために、受信したアップリンクグラントと前記受信したプリエンプションインジケータとに基づく長さを有する、前記符号語の第１の部分を、選択し、
前記符号語の前記第１の部分を前記第１の物理リソースを用いて送信し、
前記符号語の第２の部分を選択し、
第２の巡回冗長検査を前記符号語の前記選択した第２の部分に挿入し、
前記符号語の前記第２の部分を第２の物理リソースを用いて送信する
ように構成されている、電子デバイス。
【請求項２】
前記ユーザ機器は、前記アップリンクグラントを受信して前記トランスポートブロックを前記第１の物理リソースを用いて送信するように構成されている、請求項１に記載の電子デバイス。
【請求項３】
前記巡回冗長検査を含む前記トランスポートブロックの、前記符号語への前記符号化は、前方誤り訂正符号化を含む、請求項１または２に記載の電子デバイス。
【請求項４】
前記符号語の前記第２の部分の前記送信は、前記符号語の前記第２の部分および前記第２の巡回冗長検査の前方誤り訂正符号化を含む、先行する請求項の少なくとも１項に記載の電子デバイス。
【請求項５】
前記符号語の前記第１の部分は、前記プリエンプションの前の前記トランスポートブロックにおけるビットを含み、前記符号語の前記第２の部分は、前記プリエンプションの後の前記トランスポートブロックにおけるビットを含む、先行する請求項の少なくとも１項に記載の電子デバイス。
【請求項６】
基地局であって、
ユーザ機器から受信した符号語の第１の部分を前記基地局の受信機によって復号し、
前記受信した符号語の第２の部分をマルチユーザ検出器を用いて検出し、
前記符号語の前記第１の部分の前記復号が成功しているか否かを判断し、
１）前記符号語の前記第１の部分の前記復号が成功しているという判断に基づいて、肯定応答を前記ユーザ機器に送信し、
２）前記符号語の前記第１の部分の前記復号が成功しておらず前記符号語の前記第２の部分の前記検出が成功しているという判断に基づいて、
前記符号語の前記第１の部分と前記第２の部分とを合成することにより合成符号語を形成し、
前記合成符号語を復号し、
前記合成符号語の前記復号が成功しているか否かを判断し、
前記合成符号語の前記復号が成功しているという判断に基づいて、肯定応答を前記ユーザ機器に送信する、または、
３）前記符号語の前記第１の部分の前記復号が成功していないこと、もしくは前記合成符号語の前記復号が成功していないことに基づいて、否定応答を前記ユーザ機器に送信する
ように構成されている、基地局。
【請求項７】
前記マルチユーザ検出器は、干渉キャンセラーおよび非直交多元接続検出器を含む、請求項６に記載の基地局。
【請求項８】
前記非直交多元接続検出器は逐次干渉除去フィードバックを前記干渉キャンセラーに与える、請求項７に記載の基地局。
【請求項９】
前記符号語の前記第１の部分と前記第２の部分とを合成することにより前記合成符号語を形成する前に、前記受信機は、前記符号語の前記第２の部分に対して巡回冗長検査を実行することにより、前記合成の前に前記巡回冗長検査を削除する、請求項６〜８の少なくとも１項に記載の基地局。
【請求項１０】
前記マルチユーザ検出器は前方誤り訂正検出器を含む、請求項６〜９の少なくとも１項に記載の基地局。
【請求項１１】
ユーザ機器の送信機における非直交多元接続符号化の方法であって、前記方法は、
前記ユーザ機器が、巡回冗長検査をトランスポートブロックに挿入するステップと、
前記巡回冗長検査を含む前記トランスポートブロックを符号語に符号化するステップと、
第１の物理リソースの一部についてのプリエンプションインジケータを受信するステップと、
レートマッチングのために、受信したアップリンクグラントと前記受信したプリエンプションインジケータとに基づく長さを有する、前記符号語の第１の部分を、選択するステップと、
前記符号語の前記第１の部分を前記第１の物理リソースを用いて送信するステップと、
前記符号語の第２の部分を選択するステップと、
前記符号語の前記第２の部分を第２の物理リソースを用いて送信するステップとを含む、方法。
【請求項１２】
前記アップリンクグラントを受信して前記トランスポートブロックを前記第１の物理リソースを用いて送信するステップをさらに含む、請求項１１に記載の方法。
【請求項１３】
前記巡回冗長検査を含む前記トランスポートブロックを前記符号語に符号化するステップは、前方誤り訂正符号化を含む、請求項１１または１２に記載の方法。
【請求項１４】
前記符号語の前記第２の部分を送信するステップは、前記符号語の前記第２の部分の前方誤り訂正符号化を含む、請求項１１〜１３の少なくとも１項に記載の方法。
【請求項１５】
前記符号語の前記第１の部分は、前記プリエンプションの前の前記トランスポートブロックにおけるビットを含み、前記符号語の前記第２の部分は、前記プリエンプションの後の前記トランスポートブロックにおけるビットを含む、請求項１１〜１４の少なくとも１項に記載の方法。
【請求項１６】
基地局による非直交多元接続復号をユーザ機器から受信する方法であって、前記方法は、
ユーザ機器から受信した符号語の第１の部分を前記基地局が復号するステップと、
前記受信した符号語の第２の部分を、第１のマルチユーザ検出結果を生成するマルチユーザ検出を用いて検出するステップと、
前記符号語の前記第１の部分の前記復号が成功しているか否かを判断するステップと、
１）前記符号語の前記第１の部分の前記復号が成功しているという判断に基づいて、肯定応答を前記ユーザ機器に送信するステップ、または、
２）前記符号語の前記第１の部分の前記復号が成功していないという判断に基づいて、
前記符号語の前記第１の部分と前記第２の部分とを合成することにより合成符号語を形成するステップと、
前記合成符号語を復号するステップと、
前記合成符号語の前記復号が成功しているか否かを判断するステップと、
前記合成符号語の前記復号が成功しているという判断に基づいて、肯定応答を前記ユーザ機器に送信するステップ、または、
前記合成符号語の前記復号が成功していないという判断に基づいて、
前記符号語の前記第２の部分をドロップするステップと、
前記符号語の前記第１の部分と、第２のマルチユーザ検出結果からの前記符号語の別の第２の部分とを合成することにより第２の合成符号語を生成するステップと、
前記第２の合成符号語の復号が成功しているか否かを判断するステップと、
前記第２の合成符号語の復号が成功しているという判断に基づいて、肯定応答を前記ユーザ機器に送信するステップ、または、
前記第２の合成符号語の復号が成功していない場合または他のマルチユーザ検出結果を入手できない場合、否定応答を前記ユーザ機器に送信するステップとを含む、方法。
【請求項１７】
前記マルチユーザ検出を用いて検出するステップは、干渉除去および非直交多元接続検出を含む、請求項１６に記載の方法。
【請求項１８】
前記非直交多元接続検出は、逐次干渉除去フィードバックを提供する、請求項１７に記載の方法。
【請求項１９】
前記マルチユーザ検出を用いて検出するステップは、前方誤り訂正復号を含む、請求項１６〜１８の少なくとも１項に記載の方法。
【請求項２０】
前記合成符号語をＦＥＣ復号するステップをさらに含む、請求項１６〜１９の少なくとも１項に記載の方法。
【発明の詳細な説明】
【背景技術】
【０００１】
背景
ワイヤレス通信の、第５世代（５Ｇ）規格および技術への進化は、高データレート化および大容量化を、信頼性の向上および低遅延化とともにもたらし、それにより、モバイルブロードバンドサービスを向上させる。また、５Ｇ技術は、車両ネットワーキング、固定ワイヤレスブロードバンド、およびモノのインターネット（Internet of Things：ＩｏＴ）の新種のサービスをもたらす。
【０００２】
第５世代新無線（Fifth Generation New Radio：５Ｇ  ＮＲ）は、高度モバイルブロードバンド（enhanced Mobile Broadband：ｅＭＢＢ）、超高信頼低遅延通信（Ultra-Reliable and Low Latency Communications：ＵＲＬＬＣ）、および大量マシンタイプ通信（massive Machine-Type Communication：ｍＭＴＣ）という３つの使用シナリオをサポートする。ＵＲＬＬＣには、高信頼低遅延通信の厳しい要件がある。このため、５Ｇ  ＮＲにより、ユーザ機器（user equipment：ＵＥ）は、５Ｇ  ＮＲ基地局（たとえばｇＮｏｄｅＢ、またはｇＮＢ）がＵＲＬＬＣ送信のためにＵＲＬＬＣユーザ機器に対して個々のリソースをスケジューリングできない場合に、既にスケジューリングされているリソースでＵＲＬＬＣ信号を送信することができる。
【発明の概要】
【課題を解決するための手段】
【０００３】
概要
この概要は、共有グラントフリー伝送によって支援される第５世代新無線アップリンク多重化の概念をわかり易くしたものを紹介するために提供される。このわかり易くした概念については以下の詳細な説明でさらに説明する。この概要は、クレームされている主題の本質的な特徴を特定することを意図しているのではなく、クレームされている主題の範囲の判断において使用されることを意図している訳でもない。
【０００４】
いくつかの局面において、電子デバイスが、第５世代新無線（５Ｇ  ＮＲ）通信のためのユーザ機器（ＵＥ）として構成される。ＵＥは、第１の巡回冗長検査（cyclical redundancy check：ＣＲＣ）をトランスポートブロック（transport block：ＴＢ）に挿入し、ＣＲＣを含むＴＢを符号語（codeword：ＣＷ）に符号化し、第１の物理リソースの一部についてのプリエンプションインジケータを受信し、レートマッチングのために、受信したアップリンク（uplink：ＵＬ）グラントと受信したプリエンプションインジケータとに基づく長さを有する、符号語の第１の部分を、選択するように、構成されている。また、ＵＥは、ＣＷの第１の部分を第１の物理リソースを用いて送信し、ＣＷの第２の部分を選択し、第２のＣＲＣをＣＷの選択した第２の部分に挿入し、ＣＷの第２の部分を第２の物理リソースで送信するように構成されている。
【０００５】
別の局面において、基地局が、ユーザ機器から受信した符号語の第１の部分を復号し、受信したＣＷの第２の部分をマルチユーザ検出器（multi-user detector：ＭＵＤ）を用いて検出し、ＣＷの第１の部分の復号が成功しているか否かを判断し、ＣＷの第１の部分の復号が成功しているという判断に基づいて、肯定応答（Ａｃｋ）をＵＥに送信するように、構成されている。ＣＷの第１の部分の復号が成功しておらずＣＷの第２の部分の検出が成功しているという判断に基づいて、基地局は、さらに、ＣＷの第１の部分と第２の部分とを合成することにより合成ＣＷを形成し、合成ＣＷを復号し、合成ＣＷの復号が成功しているか否かを判断し、合成ＣＷの復号が成功しているという判断に基づいて、ＡｃｋをＵＥに送信するように、構成されている。基地局は、さらに、ＣＷの第１の部分の復号が成功していないこと、または合成ＣＷの復号が成功していないことに基づいて、否定応答（Ｎｃｋ）をＵＥに送信するように構成されている。
【０００６】
他の局面において、ユーザ機器（ＵＥ）の送信機における非直交多元接続（ＮＯＭＡ）符号化の方法が記載され、この方法は、ＵＥが、巡回冗長検査（ＣＲＣ）をトランスポートブロック（ＴＢ）に挿入するステップと、ＣＲＣを含むＴＢを符号語に符号化するステップと、第１の物理リソースの一部についてのプリエンプションインジケータを受信するステップと、レートマッチングのために、受信したアップリンク（ＵＬ）グラントと受信したプリエンプションインジケータとに基づく長さを有する、ＣＷの第１の部分を、選択するステップとを含む。この方法はさらに、ＣＷの第１の部分を第１の物理リソースで送信するステップと、ＣＷの第２の部分を選択するステップと、ＣＷの第２の部分を第２の物理リソースで送信するステップとを含む。
【０００７】
別の局面において、基地局による非直交多元接続復号をユーザ機器から受信する方法が記載され、この方法は、ＵＥから受信した符号語の第１の部分を復号するステップと、受信した符号語の第２の部分を、第１のＭＵＤ結果を生成するマルチユーザ検出を用いて検出するステップと、ＣＷの第１の部分の復号が成功しているか否かを判断するステップとを含む。この方法はさらに、ＣＷの第１の部分の復号が成功しているという判断に基づいて、ＡｃｋをＵＥに送信するステップと、ＣＷの第１の部分と第２の部分とを合成することにより合成ＣＷを形成するステップと、合成ＣＷを復号するステップと、合成ＣＷの復号が成功しているか否かを判断するステップと、合成ＣＷの復号が成功しているという判断に基づいて、肯定応答（Ａｃｋ）をＵＥに送信するステップとを含む。この方法はさらに、合成ＣＷの復号が成功していないという判断に基づいて、ＣＷの第２の部分をドロップするステップと、ＣＷの第１の部分と、第２のＭＵＤ結果からのＣＷの別の第２の部分とを合成することにより別の合成ＣＷを生成するステップと、この別の合成ＣＷの復号が成功しているか否かを判断するステップと、この別の合成ＣＷの復号が成功しているという判断に基づいて、ＡｃｋをＵＥに送信するステップと、上記別の合成ＣＷの復号が成功していない場合または他のＭＵＤ結果を入手できない場合、ＮｃｋをＵＥに送信するステップとを含む。
【０００８】
以下、共有グラントフリー伝送によって支援される第５世代新無線アップリンク多重化の１つ以上の局面の詳細を説明する。本明細書および図面において、異なる事例の同一の参照番号は同様の要素を示し得る。
【図面の簡単な説明】
【０００９】
【図１】共有グラントフリー伝送によって支援される第５世代新無線アップリンク多重化の各種局面を実現することが可能なワイヤレスネットワーク環境の一例を示す図である。
【図２】共有グラントフリー伝送によって支援される第５世代新無線アップリンク多重化の各種局面を実現することが可能なデバイス図の一例を示す図である。
【図３】ユーザ機器と基地局との間に延在するエアインターフェイスリソースを示す図であり、これにより、共有グラントフリー伝送によって支援される第５世代新無線アップリンク多重化の各種局面を実現することが可能である。
【図４】共有グラントフリー伝送によって支援される第５世代新無線アップリンク多重化の１つ以上の局面に係る、アップリンクプリエンプションシグナリングの一例を示す図である。
【図５】共有グラントフリー伝送によって支援される第５世代新無線アップリンク多重化の１つ以上の局面に係る、トランスポートブロックからコードブロックへの分解の一例を示す図である。
【図６】共有グラントフリー伝送によって支援される第５世代新無線アップリンク多重化の１つ以上の局面に係る、非直交多元接続によって支援される（ＮＯＭＡ支援）アップリンク多重化設計のための送信機設計の一例を示す図である。
【図７】共有グラントフリー伝送によって支援される第５世代新無線アップリンク多重化の１つ以上の局面に係る、ＮＯＭＡ支援ＵＬ多重化のための受信機設計の一例を示す図である。
【図８】共有グラントフリー伝送によって支援される第５世代新無線アップリンク多重化の１つ以上の局面に係る、ＮＯＭＡ支援アップリンク多重化設計のための送信機設計の別の例を示す図である。
【図９】共有グラントフリー伝送によって支援される第５世代新無線アップリンク多重化の１つ以上の局面に係る、ＮＯＭＡ支援ＵＬ多重化のための受信機設計の別の例を示す図である。
【図１０】本明細書に記載の技術の局面に係る、ユーザ機器が送信するトランスポートブロックまたはコードブロックの符号化に概ね関連する、共有グラントフリー伝送によって支援される第５世代新無線アップリンク多重化の方法の一例を示す図である。
【図１１】本明細書に記載の技術の局面に係る、基地局によるトランスポートブロックまたはコードブロックの復号に概ね関連する、共有グラントフリー伝送によって支援される第５世代新無線アップリンク多重化の方法の一例を示す図である。
【図１２】本明細書に記載の技術の局面に係る、ユーザ機器が送信するトランスポートブロックまたはコードブロックの符号化に概ね関連する、共有グラントフリー伝送によって支援される第５世代新無線アップリンク多重化の方法の一例を示す図である。
【図１３】本明細書に記載の技術の局面に係る、基地局によるトランスポートブロックまたはコードブロックの復号に概ね関連する、共有グラントフリー伝送によって支援される第５世代新無線アップリンク多重化の方法の一例を示す図である。
【発明を実施するための形態】
【００１０】
詳細な説明
本明細書では、共有グラントフリー伝送によって支援される第５世代新無線アップリンク多重化のための方法、デバイス、システム、および手段について説明する。ユーザ機器（ＵＥ）が、第１の巡回冗長検査（ＣＲＣ）をトランスポートブロック（ＴＢ）に挿入し、ＣＲＣを含むＴＢを符号語（ＣＷ）に符号化する。ＵＥは、第１の物理リソースの一部についてのプリエンプションインジケータの受信に基づいて、レートマッチングのために、受信したアップリンク（ＵＬ）グラントおよび受信したプリエンプションインジケータに基づく長さを有する、ＣＷの第１の部分を、選択する。ＵＥは、第１の物理リソースを用いてＣＷの第１の部分を送信し、ＣＷの第２の部分を選択し、選択したＣＷの第２の部分に第２のＣＲＣを挿入し、ＣＷの第２の部分を第２の物理リソースを用いて送信する。
【００１１】
第１のユーザ機器が、超高信頼低遅延通信（ＵＲＬＬＣ）アップリンク信号を、第２のＵＥからの高度モバイルブロードバンド（ｅＭＢＢ）アップリンクのような、既にスケジューリングされているリソースで送信する場合、スケジューリングされているｅＭＢＢアップリンクデータは、ＵＲＬＬＣ  ＵＬデータ送信によってパンクチャリング（puncture）、キャンセル、または中断される場合がある。局面において、基地局は、第１のＵＥからスケジューリング要求（schedule request：ＳＲ）を受信した後に、プリエンプションインジケータを、ＵＲＬＬＣおよびｅＭＢＢデータ送信が行われる前に第２のＵＥに送信することにより、ｅＭＢＢ送信をキャンセルまたは中断する。第２のＵＥは、プリエンプションインジケータに従い、ｅＭＢＢ送信データのすべてまたは一部をキャンセルすることができる。ｅＭＢＢ送信のキャンセルは、高信頼ＵＲＬＬＣデータ送信のための保証されたリソースをもたらす。ＵＲＬＬＣデータ送信のサイズは、ｅＭＢＢデータ送信のサイズよりも遥かに小さいことが多い。第２のＵＥがｅＭＢＢデータ送信全体をキャンセルした場合、プリエンプション手続はアップリンクリソースの利用効率を低下させる。
【００１２】
ｅＭＢＢアップリンク送信がＵＲＬＬＣ送信によってパンクチャリングされた場合は、第１のＵＥおよび第２のＵＥ双方がアップリンクデータを送信し、ＵＲＬＬＣ送信は、ｅＭＢＢデータ送信の一部をパンクチャリングする。この場合、受信したｅＭＢＢデータにおける誤りの確率は、ＵＲＬＬＣ送信によるパンクチャリングが原因で増加するであろう。非直交多元接続（non-orthogonal multiple access：ＮＯＭＡ）符号化およびマルチユーザ検出（Multi-User Detection：ＭＵＤ）技術を利用することにより、ＵＥ双方が送信することが可能であり、送信パンクチャリングによる誤り率は低減され、ネットワークリソースはより効率的に使用される。
【００１３】
環境の例
図１は、ワイヤレスリンク１３１および１３２として示されるワイヤレス通信リンク１３０（ワイヤレスリンク１３０）を介して（基地局１２１および１２２として示される）基地局１２０と通信することが可能な、ＵＥ１１１、ＵＥ１１２、およびＵＥ１１３として示される複数のユーザ機器１１０（ＵＥ１１０）を含む、環境の一例１００を示す。ＵＥ１１０は、単純にするためにスマートフォンとして実現されているが、モバイル通信デバイス、モデム、携帯電話、ゲーム機、ナビゲーション装置、メディア装置、ラップトップコンピュータ、デスクトップコンピュータ、タブレットコンピュータ、スマート機器、車両ベースの通信システムのような任意の適切なコンピューティングもしくは電子デバイスとして実現されてもよく、または、センサもしくはアクチュエータのようなモノのインターネット（ＩｏＴ）デバイスとして実現されてもよい。基地局１２０（たとえば、進化型ユニバーサル地上無線アクセスネットワークノードＢ（Evolved Universal Terrestrial Radio Access Network Node B）、Ｅ−ＵＴＲＡＮノードＢ、進化型ノードＢ（evolved Node B）、ｅＮｏｄｅＢ、ｅＮＢ、次世代ノードＢ（Next Generation Node B）、ｇＮｏｄｅ  Ｂ、ｇＮＢなど）は、マクロセル、マイクロセル、スモールセル、ピコセルなどで、またはその任意の組み合わせで実現されてもよい。
【００１４】
基地局１２０は、任意の適切なタイプのワイヤレスリンクとして実現することができるワイヤレスリンク１３１および１３２を用いてユーザ機器１１０と通信する。ワイヤレスリンク１３１および１３２は、基地局１２０からユーザ機器１１０に伝達されるデータおよび制御情報のダウンリンク、ユーザ機器１１０から基地局１２０に伝達されるその他のデータおよび制御情報のアップリンク、またはこれら双方等の、制御およびデータ通信を含む。ワイヤレスリンク１３０は、第３世代パートナーシッププロジェクトロングタームエボリューション（3rd Generation Partnership Project Long-Term Evolution：３ＧＰＰ  ＬＴＥ）、第５世代新無線（５Ｇ  ＮＲ）などのような、任意の適切な１つの通信プロトコルもしくは規格または複数の通信プロトコルもしくは規格の組み合わせを用いて実現される、１つ以上のワイヤレスリンク（たとえば無線リンク）またはベアラ（bearer）を含み得る。複数のワイヤレスリンク１３０をキャリアアグリゲーションで集約することにより、ＵＥ１１０に対してより高いデータレートを提供してもよい。複数の基地局１２０からの複数のワイヤレスリンク１３０は、ＵＥ１１０との協調マルチポイント（Coordinated Multipoint：ＣｏＭＰ）通信用に構成されてもよい。
【００１５】
基地局１２０は全体として無線アクセスネットワーク（Radio Access Network）１４０（たとえばＲＡＮ、進化型ユニバーサル地上無線アクセスネットワーク、Ｅ−ＵＴＲＡＮ、５Ｇ  ＮＲ  ＲＡＮまたはＮＲ  ＲＡＮ）である。ＲＡＮ１４０における基地局１２１および１２２はコアネットワーク１５０に接続される。基地局１２１および１２２は、それぞれ１０２および１０４において、５Ｇコアネットワークに接続するときにはコントロールプレーンシグナリングのためにＮＧ２インターフェイスを介して、ユーザプレーンデータ通信のためにＮＧ３インターフェイスを用いて接続され、または、進化型パケットコア（Evolved Packet Core：ＥＰＣ）ネットワークに接続するときにはコントロールプレーンシグナリングおよびユーザプレーンデータ通信のためにＳ１インターフェイスを用いて接続される。基地局１２１および１２２は、１０６において、ユーザプレーンおよびコントロールプレーンデータをやり取りするために、Ｘｎアプリケーションプロトコル（Xn Application Protocol：ＸｎＡＰ）を用いてＸｎインターフェイスを介して、または、Ｘ２アプリケーションプロトコル（Ｘ２ＡＰ）を用いてＸ２インターフェイスを介して、通信することができる。ユーザ機器１１０は、コアネットワーク１５０を介してインターネット１６０等のパブリックネットワークに接続することにより、リモートサービス１７０とやり取りすることができる。
【００１６】
デバイスの例
図２は、ユーザ機器１１０および基地局１２０のデバイス図の一例２００を示す。ユーザ機器１１０および基地局１２０は、明確にするために図２では省略されているその他の機能およびインターフェイスを含み得る。ユーザ機器１１０は、ＲＡＮ１４０における基地局１２０と通信するために、アンテナ２０２と、無線周波数フロントエンド２０４（ＲＦフロントエンド２０４）と、ＬＴＥトランシーバ２０６と、５Ｇ  ＮＲトランシーバ２０８とを含む。ユーザ機器１１０のＲＦフロントエンド２０４は、ＬＴＥトランシーバ２０６および５Ｇ  ＮＲトランシーバ２０８をアンテナ２０２に結合または接続することにより、さまざまな種類のワイヤレス通信を容易にすることができる。ユーザ機器１１０のアンテナ２０２は、互いに同じようにまたは異なるように構成された複数のアンテナのアレイを含み得る。アンテナ２０２およびＲＦフロントエンド２０４は、３ＧＰＰ  ＬＴＥおよび５Ｇ  ＮＲ通信規格によって規定されＬＴＥトランシーバ２０６および／または５Ｇ  ＮＲトランシーバ２０８によって実現される１つ以上の周波数帯にチューニングすることができる、および／またはチューニング可能であってもよい。加えて、アンテナ２０２、ＲＦ  フロントエンド２０４、ＬＴＥトランシーバ２０６および／または５Ｇ  ＮＲトランシーバ２０８は、基地局１２０との通信の送信および受信のためのビームフォーミングをサポートするように構成されてもよい。限定ではなく一例として、アンテナ２０２およびＲＦフロントエンド２０４は、３ＧＰＰ  ＬＴＥおよび５Ｇ  ＮＲ通信規格によって規定されるサブギガヘルツ帯、サブ６ＧＨＺ帯、および／または６ＧＨｚを超える周波数帯で動作するように実現することができる。
【００１７】
また、ユーザ機器１１０は、プロセッサ２１０とコンピュータ読取可能記憶媒体２１２（computer-readable storage media：ＣＲＭ２１２）とを含む。プロセッサ２１０は、シングルコアプロセッサでもよく、または、シリコン、ポリシリコン、高Ｋ誘電体、銅などのようなさまざまな材料からなるマルチコアプロセッサであってもよい。本明細書に記載のコンピュータ読取可能記憶媒体は伝搬信号を除外する。ＣＲＭ２１２は、ユーザ機器１１０のデバイスデータ２１４を格納するために使用可能な、ランダムアクセスメモリ（ＲＡＭ）、スタティックＲＡＭ（ＳＲＡＭ）、ダイナミックＲＡＭ（ＤＲＡＭ）、不揮発性ＲＡＭ（ＮＶＲＡＭ）、読出専用メモリ（ＲＯＭ）、またはフラッシュメモリ等の、任意の適切なメモリまたは記憶装置を含み得る。デバイスデータ２１４は、ユーザプレーン通信、コントロールプレーンシグナリング、およびユーザ機器１１０を用いたユーザのやり取りを可能にするためにプロセッサ２１０が実行可能な、ユーザデータ、マルチメディアデータ、ビームフォーミングコードブック、アプリケーション、および／またはユーザ機器１１０のオペレーティングシステムを、含む。
【００１８】
いくつかの実装形態において、ＣＲＭ２１２は、ユーザ機器マネージャ２１６も含み得る。ＵＥマネージャ２１６は、アンテナ２０２、ＲＦフロントエンド２０４、ＬＴＥトランシーバ２０６、および／または５Ｇ  ＮＲトランシーバ２０８と通信することにより、ワイヤレス通信リンク１３０の品質をモニタリングしワイヤレス通信リンク１３０のモニタリングした品質に基づいてビームサーチを開始することができる。
【００１９】
図２に示される基地局１２０のデバイス図は、１つのネットワークノード（たとえばｇＮｏｄｅ  Ｂ）を含む。基地局１２０の機能は、複数のネットワークノードまたはデバイスに分散させることができ、本明細書に記載の機能の実行に適した任意のやり方で分散させることができる。基地局１２０は、ＵＥ１１０と通信するために、アンテナ２５２、無線周波数フロントエンド２５４（ＲＦフロントエンド２５４）、１つ以上のＬＴＥトランシーバ２５６、および／または１つ以上の５Ｇ  ＮＲトランシーバ２５８を含む。基地局１２０のＲＦフロントエンド２５４は、ＬＴＥトランシーバ２５６および５Ｇ  ＮＲトランシーバ２５８をアンテナ２５２に結合または接続することにより、さまざまな種類のワイヤレス通信を容易にすることができる。基地局１２０のアンテナ２５２は、互いに同じようにまたは異なるように構成された複数のアンテナのアレイを含み得る。アンテナ２５２およびＲＦフロントエンド２５４は、３ＧＰＰ  ＬＴＥおよび５Ｇ  ＮＲ通信規格によって規定されＬＴＥトランシーバ２５６および／または５Ｇ  ＮＲトランシーバ２５８によって実現される１つ以上の周波数帯にチューニングすることができる、および／またはチューニング可能であってもよい。加えて、アンテナ２５２、ＲＦフロントエンド２５４、ＬＴＥトランシーバ２５６、および／または５Ｇ  ＮＲトランシーバ２５８は、ＵＥ１１０との通信の送信および受信のためのマッシブマイモ（Massive-MIMO）等のビームフォーミングをサポートするように構成されてもよい。
【００２０】
また、基地局１２０は、プロセッサ２６０とコンピュータ読取可能記憶媒体２６２（ＣＲＭ２６２）とを含む。プロセッサ２６０は、シングルコアプロセッサでもよく、または、シリコン、ポリシリコン、高Ｋ誘電体、銅などのようなさまざまな材料からなるマルチコアプロセッサであってもよい。ＣＲＭ２６２は、基地局１２０のデバイスデータ２６４を格納するために使用可能な、ランダムアクセスメモリ（ＲＡＭ）、スタティックＲＡＭ（ＳＲＡＭ）、ダイナミックＲＡＭ（ＤＲＡＭ）、不揮発性ＲＡＭ（ＮＶＲＡＭ）、読出専用メモリ（ＲＯＭ）、またはフラッシュメモリ等の、任意の適切なメモリまたは記憶装置を含み得る。デバイスデータ２６４は、ユーザ機器１１０との通信を可能にするためにプロセッサ２６０が実行可能な、ネットワークスケジューリングデータ、無線リソース管理データ、ビームフォーミングコードブック、アプリケーション、および／または基地局１２０のオペレーティングシステムを、含む。
【００２１】
また、ＣＲＭ２６２は基地局マネージャ２６６を含む。これに代えてまたはこれに加えて、基地局マネージャ２６６は、その全体または一部が、基地局１２０のその他のコンポーネントと一体化された、または、その他のコンポーネントとは別の、ハードウェアロジックまたは回路として実現されてもよい。少なくともいくつかの局面において、基地局マネージャ２６６は、ＬＴＥトランシーバ２５６および５Ｇ  ＮＲトランシーバ２５８を、ユーザ機器１１０との通信だけでなくコアネットワーク１５０等のコアネットワークとの通信用に構成する。
【００２２】
基地局１２０はＸｎおよび／またはＸ２インターフェイス等の基地局間インターフェイス２６８を含み、基地局間インターフェイス２６８は、基地局マネージャ２６６によって、基地局１２０とユーザ機器１１０との間の通信を管理するためにその他の基地局１２０間でユーザプレーンおよびコントロールプレーンデータをやり取りするように、構成される。基地局１２０はコアネットワークインターフェイス２７０を含み、コアネットワークインターフェイス２７０は、基地局マネージャ２６６によって、コアネットワーク機能および／またはエンティティとユーザプレーンおよびコントロールプレーンデータをやり取りするように、構成される。
【００２３】
図３は、ユーザ機器と基地局との間に延在しワイヤレス通信システムにおけるバッファ状態のレポートの各種局面の実現を可能にするエアインターフェイスリソースを示す。エアインターフェイスリソース３０２はリソースユニット３０４に分割することができ、リソースユニット３０４の各々は、周波数スペクトルと経過時間とのある交差部分を占める。エアインターフェイスリソース３０２の一部が、リソースブロック３１１、３１２、３１３、３１４を含む複数のリソースブロック３１０を有する格子または行列として図示されている。したがって、リソースユニットの一例３０４は、少なくとも１つのリソースブロック３１０を含む。示されているように、時間は水平方向の範囲に沿って横軸として示され、周波数は鉛直方向の範囲に沿って縦軸として示されている。所定の通信プロトコルまたは規格によって規定されるエアインターフェイスリソース３０２は、任意の適切な指定周波数範囲にわたっていてもよく、および／または任意の指定期間の間隔に分割されてもよい。時間の増分はたとえばミリ秒（ｍＳｅｃ）に対応していてもよい。周波数の増分はたとえばメガヘルツ（ＭＨｚ）に対応していてもよい。
【００２４】
動作例において、一般的に、基地局１２０は、エアインターフェイスリソース３０２の部分（たとえばリソースユニット３０４）を、アップリンクおよびダウンリンク通信用に割り当てる。ネットワークアクセスリソースの各リソースブロック３１０は、複数のユーザ機器１１０のそれぞれのワイヤレス通信リンク１３０をサポートするように割り当てられてもよい。この格子の左下の角におけるリソースブロック３１１は、所定の通信プロトコルによって規定された通りに、指定された周波数範囲３０６にわたっていてもよく、複数のサブキャリアまたはサブ周波数帯を含んでいてもよい。リソースブロック３１１は、各々が指定周波数範囲３０６（たとえば１８０ｋＨｚ）のそれぞれの部分（たとえば１５ｋＨｚ）に対応する任意の適切な数（たとえば１２）のサブキャリアを含み得る。リソースブロック３１１はまた、所定の通信プロトコルによって規定された通りに、指定された時間間隔３０８またはタイムスロット（たとえばおよそ０．５ミリ秒または７つの直交周波数分割多重（orthogonal frequency-division multiplexing：ＯＦＤＭ）シンボルにわたって続く）にわたっていてもよい。時間間隔３０８は、各々がＯＦＤＭシンボル等のシンボルに対応していてもよいサブ間隔を含む。図３に示されるように、各リソースブロック３１０は、周波数範囲３０６のサブキャリアおよび時間間隔３０８のサブ間隔（またはシンボル）に対応するまたはそれによって定められる複数のリソース要素３２０（resource element：ＲＥ）を含み得る。これに代えて、所定の１つのリソース要素３２０は、２つ以上の周波数サブキャリアまたはシンボルにわたっていてもよい。このように、リソースユニット３０４は、少なくとも１つのリソースブロック３１０、少なくとも１つのリソース要素３２０などを含み得る。
【００２５】
実装形態の例において、複数のユーザ機器１１０（そのうちの１つが示されている）は、エアインターフェイスリソース３０２の部分が提供するアクセスを介して基地局１２０と通信している。基地局マネージャ２６６（図３には示されていない）は、ユーザ機器１１０が伝達する（たとえば送信する）情報（たとえばデータまたは制御情報）のそれぞれの種類または量を判断してもよい。たとえば、基地局マネージャ２６６は、各ユーザ機器１１０がそれぞれの異なる量の情報を送信しようとしていると判断することができる。次に、基地局マネージャ２６６は、求めた情報量に基づいて１つ以上のリソースブロック３１０を各ユーザ機器１１０に割り当てる。
【００２６】
ブロックレベルのリソース付与（resource grant）に加えてまたはその代わりに、基地局マネージャ２６６はリソースユニットを要素レベルで割り当ててもよい。よって、基地局マネージャ２６６は、１つ以上のリソース要素３２０または個々のサブキャリアを、異なるＵＥ１１０に割り当ててもよい。そうすることにより、１つのリソースブロック３１０を割り当てて複数のユーザ機器１１０のネットワークアクセスを容易にすることができる。したがって、基地局マネージャ２６６は、さまざまな粒度で、リソースブロック３１０のうちの１つのサブキャリアまたは全数以下のサブキャリアを、１つのユーザ機器１１０に割り当てる、または複数のユーザ機器１１０に分けることにより、ネットワーク利用率を高めるまたはスペクトル効率を上げることができる。
【００２７】
基地局マネージャ２６６は、したがって、エアインターフェイスリソース３０２を、リソースユニット３０４、リソースブロック３１０、周波数キャリア、時間間隔、リソース要素３２０、周波数サブキャリア、時間サブ間隔、シンボル、拡散符号、その何らかの組み合わせなどを単位として、割り当てることができる。リソースマネージャは、リソースユニット３０４のそれぞれの割当に基づいて、各ユーザ機器１１０に対するリソースユニット３０４のそれぞれの割当を示すそれぞれのメッセージを、複数のユーザ機器１１０に送信することができる。各メッセージにより、それぞれのユーザ機器１１０が、情報を待ち行列に入れる、または、ＬＴＥトランシーバ２０６、５Ｇ  ＮＲトランシーバ２０８、またはこれら双方を、エアインターフェイスリソース３０２の割り当てられたリソースユニット３０４を用いて通信するように構成できるようにしてもよい。
【００２８】
アップリンク多重化
図４は、共有グラントフリー伝送によって支援される第５世代新無線アップリンク多重化の１つ以上の局面に係るアップリンクプリエンプションシグナリングの一例を示す。ワイヤレスリンク１３０はダウンリンク（ＤＬ）４０２およびアップリンク（ＵＬ）４０４として示されており、アップリンク４０４は物理アップリンク共有チャネル（Physical Uplink Shard Channel：ＰＵＳＣＨ）である。ダウンリンク４０２およびアップリンク４０４は複数のタイムスロット４０６に分割されている。ダウンリンクの第１のタイムスロットにおいて、基地局１２０は、４０８で、ｅＭＢＢデータを第３のＵＬスロットで送信するためのＵＬリソースをＵＥ１１１に付与する。第２のダウンリンクタイムスロットにおいて、基地局１２０は、４１０で、第３のアップリンクタイムスロットにおける第２のＵＥ（ＵＥ１１２）によるＵＲＬＬＣ送信のために、ＵＥ１１１のｅＭＢＢ送信用に付与されたアップリンクリソースの一部のプリエンプションをＵＥ１１２が行うことを示すアップリンクプリエンプション指示を、送信する。基地局１２０は、４１２で、ＵＥ１１１からのｅＭＢＢ送信を受信し始める。基地局１２０がＵＥ１１２から受信するＵＲＬＬＣ送信４１４は、４１４でｅＭＢＢ送信をパンクチャリングし、基地局１２０は、ｅＭＢＢ送信の残りを、パンクチャリング後に４１６で受信する。パンクチャリングを回避する、または、スロットのプリエンプションされていない部分においてｅＭＢＢデータの一部を送信するのを回避するためにｅＭＢＢ送信を再スケジューリングするのではなくパワー分割多重化を用いることにより、ＵＲＬＬＣ通信のリアルタイム低遅延要件にも対応しつつ、アップリンクリソース利用率を高める。
【００２９】
プリエンプション中のアップリンクリソースの利用率を高める１つの手法は、マルチユーザ検出（ＭＵＤ）技術を非直交多元接続（ＮＯＭＡ）信号に適用することである。ＮＯＭＡ受信機は、メッセージ伝達アルゴリズム（Message Passing Algorithm：ＭＰＡ）、推定伝搬アルゴリズム（Estimation Propagation Algorithm：ＥＰＡ）、および／または確率伝搬（Belief Propagation：ＢＰ）等のビットレベル検出器、または、整合フィルタ（Matched Filter：ＭＦ）、基本信号推定器（Elementary Signal Estimator：ＥＳＥ）および／または線形最小二乗平均誤差（Linear Minimum Mean Square Error：ＬＭＭＳＥ）推定器等のシンボルレベル検出器を、採用することができる。
【００３０】
ＮＯＭＡ信号シグネチャは、共有物理リソースで送信される信号間の干渉を低減することによってチャネル容量を増すことができる。ＭＰＡ、ＥＰＡ、およびＢＰ推定器は、共同して干渉を除去することができ、ＥＳＥは、復号に失敗したビットストリームの対数尤度比（log-likelihood-ratio：ＬＬＲ）を繰り返し更新することによって干渉を抑制することができる（たとえばソフト干渉除去を実行する）。推定器に加えて、逐次干渉除去（Successive Interference Cancellation：ＳＩＣ）、並列干渉除去（Parallel Interference Cancellation：ＰＩＣ）、および／またはハイブリッド干渉除去（Hybrid Interference Cancellation：ＨＩＣ）等の外部反復アルゴリズムも干渉除去を向上させることができる。
【００３１】
図５は、共有グラントフリー伝送によって支援される第５世代新無線アップリンク多重化の１つ以上の局面に係る、送信のためのトランスポートブロックの符号化の一例を示す。図５において、たとえば、トランスポートブロック５０２はコードブロック５１０の最大長さよりも長い。トランスポートブロック５０２およびトランスポートブロック５０２のためのＣＲＣブロック５０４は、コードブロック５１１、５１２、および５１３として示されている複数のコードブロック５１０に分割される。トランスポートブロック５０２は、図５では３つのコードブロック５１０に分割されるものとして示されているが、トランスポートブロックの分割のために任意の適切な数のコードブロック５１０を用いることができる。トランスポートブロック５０２の分割後にコードブロック５１１がその他のコードブロック５１０よりも短い場合は、５０６においてパディングビットをコードブロック５１１の前に加えることにより、すべてのコードブロック５１０が同じ長さになるようにする。次に、コードブロック５１０をチャネル符号器に送る前に、各コードブロック５１０ごとにＣＲＣを計算する、または各コードブロック５１０にＣＲＣを追加する。
【００３２】
図６は、ＵＥ１１０における２つの巡回冗長検査を用いるＮＯＭＡ支援アップリンク多重化のための送信機の一例６００を示す。送信機は、ＴＢ５０２またはＣＢ５１０を受信し、６０２において、第１のＣＲＣをＴＢ５０２またはＣＢ５１０に挿入する。言い換えると、第１のＣＲＣは、ＴＢ５０２の長さに応じて、ＣＲＣ５０４を、または、ＣＢ５１１、５１２もしくは５１３に添付されたＣＲＣを表す。ＣＲＣを含むＴＢ５０２またはＣＢ５１０は、前方誤り訂正（Forward Error Correction：ＦＥＣ）エンコーダ６０４に送られて、図６において「Ｘ」として示されている符号語（ＣＷ）を生成する。符号語はレートマッチングブロック６０６に送られる。送信機がレートマッチングブロック６０６においてプリエンプション指示を受信すると、ＣＷにおけるビットが第１の部分（図６の「Ｘｐ」）と第２の部分（図６の「Ｘｓ」）とに分割される。ＣＷの第１の部分の長さは、レートマッチングのためのプリエンプションインジケータに基づく。第１の部分は、プリエンプションのポイントの前のＣＷ内のビットを含み、ＣＷの第２の部分は、ＣＷの残りのビットを含む。
【００３３】
送信機は、次に、プリエンプションされた第１の物理リソース６１６で、ＣＷの第１の部分（「Ｘｐ」）を送信する。この送信は、ＣＷの第１の部分に対する、ビットレベル処理６０８、変調６１０、シンボルレベル処理６１２、およびリソース割当６１４を含む。
【００３４】
ＵＥ１１０の送信機は、ＮＯＭＡプロセスに従い共有グラントフリーリソース（第２の物理リソース６３４）を用いて送信するために、ＣＷの第２の部分（「Ｘｓ」）を選択し、６１８で第２のＣＲＣを挿入する。送信機は、符号語の第２の部分とそれに対応付けられたＣＲＣを、ＮＯＭＡシグネチャ生成器６２０に送り、第２の物理リソース６３４で、ＮＯＭＡシグネチャに基づいてＣＷの第２の部分を送信する。ＮＯＭＡシグネチャ生成器６２０は、ＣＷの第２の部分に対する、ＦＥＣエンコーダ６２２と、レートマッチング６２４と、ビットレベル処理６２６と、変調６２８と、シンボルレベル処理６３０と、リソース割当６３２とを含む。
【００３５】
ＵＥ１１０はＣＷの第２の部分の任意の始点および長さを選択することができるが、基地局１２０は、ソフト合成（soft-combining）を実行するためにＣＷの第２の部分の始点および長さを知っておく必要がある。ＵＥ１１１がレートマッチングブロックにおいてサーキュラーバッファからプリエンプションされた末尾部分を選択することにより、追加情報の送信は不要になるが、そうでなければ、ＵＥ１１１は基地局１２０に対して明示的または暗示的な制御信号を提供する。
【００３６】
図７は、基地局１２０における２つの巡回冗長検査を用いるＮＯＭＡ支援アップリンク多重化のための受信機の一例７００を示す。基地局１２０において、受信機は、ＣＷの第１および第２の部分を受信する。ＣＷの第１の部分は、第１の物理リソース６１６を用いて受信され、シンボルレベル処理７０２、復調７０４、ビットレベル処理７０６を通して処理され、復号されたビット（図７において「Ｘ’ｐ」として示される）が、復号されたＣＷの第２の部分とのソフト合成のために、デコードバッファ７０８に保持される。
【００３７】
ＣＷの第２の部分は、第２の物理リソース６３４を用いて受信され、マルチユーザ検出器７１４においてＭＵＤを用いて処理される。マルチユーザ検出器７１４は、干渉除去７１６（干渉キャンセラー７１６）と、ＣＷの第２の部分の復号されたビット（図７において「Ｘ’ｓ」として示される）を生成するためのＮＯＭＡ検出器７１８とを含む。ＮＯＭＡ検出器７１８は、シンボルレベル処理７２０と、復調７２２と、ビットレベル処理７２４と、デコードバッファ７２６における復号されたビットのバッファリングと、ＦＥＣデコード７２８とを含む。図７において点線で示されるように、逐次干渉除去フィードバックが、第２のＣＲＣの削除後に、干渉除去ブロック７１６に与えられ、複数のＭＵＤ結果が生成される。ＮＯＭＡ検出器７１８を逐次的に通すことを利用することで、干渉を除去し、ＣＷの第２の部分を回復させる。
【００３８】
図７において「Ｘ’ｓ」で示されるように、ＮＯＭＡ検出に成功すると、ＣＷの復号された第１の部分と第２の部分とがデコードバッファ７０８においてソフト合成される。デコードバッファ７０８は、合成後の復号されたビット（図７において「Ｘ’」として示される）をＦＥＣデコーダ７１０に送り、第１のＣＲＣは第１のＣＲＣチェック７１２によって削除され、データ（「Ｓ’」として示される）は、基地局１２０のプロトコルスタックの上位層に送られる。
【００３９】
図８は、ＵＥ１１０における１つの巡回冗長検査を用いるＮＯＭＡ支援アップリンク多重化のための送信機の一例８００を示す。別の局面において、ｅＭＢＢデータのプリエンプションされたトランスポートブロック（ＴＢ）を有するＵＥは、１つのＣＲＣを用いてＮＯＭＡ共有リソースによりコードブロック（ＣＢ）を再送信または並列送信する。ＴＢが最大コードブロックの長さよりも長い場合、ＴＢは、図５に示されるように送信のために複数のＣＢに分割される。この場合、１つのＣＲＣは、ＴＢ５０２の長さに応じて、ＣＲＣ５０４を、またはＣＢ５１１、５１２、もしくは５１３に添付されたＣＲＣを表す。
【００４０】
送信機は、ＴＢ５０２またはＣＢ５１０を受信し、８０２において、第１のＣＲＣをＴＢ５０２またはＣＢ５１０に挿入する。ＣＲＣを含むＴＢ５０２またはＣＢ５１０は、前方誤り訂正（ＦＥＣ）エンコーダ８０４に送られて、図８において「Ｘ」として示されている符号語（ＣＷ）を生成する。符号語はレートマッチングブロック８０６に送られる。送信機がレートマッチングブロック８０６においてプリエンプション指示を受信すると、ＣＷにおけるビットが第１の部分（図８の「Ｘｐ」）と第２の部分（図８の「Ｘｓ」）とに分割される。ＣＷの第１の部分の長さは、レートマッチングのためのプリエンプションインジケータに基づく。第１の部分は、プリエンプションのポイントの前のＣＷ内のビットを含み、ＣＷの第２の部分は、ＣＷの残りのビットを含む。
【００４１】
送信機は、次に、プリエンプションされた第１の物理リソース８１６で、ＣＷの第１の部分（「Ｘｐ」）を送信する。この送信は、ＣＷの第１の部分に対する、ビットレベル処理８０８、変調８１０、シンボルレベル処理８１２、およびリソース割当８１４を含む。
【００４２】
ＵＥ１１０の送信機は、ＮＯＭＡプロセスに従い共有グラントフリーリソース（第２の物理リソース８３２）を用いて送信するために、ＣＷの第２の部分（「Ｘｓ」）を選択する。送信機は、符号語の第２の部分を、ＮＯＭＡシグネチャ生成器８１８に送り、第２の物理リソース８３２で、ＮＯＭＡシグネチャに基づいてＣＷの第２の部分を送信する。送信機は、ＮＯＭＡシグネチャを生成し、ＮＯＭＡシグネチャに基づいてＣＷの第２の部分を送信する。ＮＯＭＡシグネチャ生成器８１８は、ＣＷの第２の部分に対する、ＦＥＣエンコーダ８２０と、レートマッチング８２２と、ビットレベル処理８２４と、変調８２６と、シンボルレベル処理８２８と、リソース割当８３０とを含む。
【００４３】
図９は、基地局１２０における１つの巡回冗長検査を用いるＮＯＭＡ支援アップリンク多重化のための受信機の一例９００を示す。基地局１２０において、受信機は、ＣＷの第１および第２の部分を受信する。ＣＷの第１の部分は、第１の物理リソース８１６を用いて受信され、シンボルレベル処理９０２、復調９０４、ビットレベル処理９０６を通して処理され、復号されたビット（図９において「Ｘ’ｐ」として示される）が、復号されたＣＷの第２の部分とのソフト合成のために、デコードバッファ９０８に保持される。
【００４４】
ＣＷの第２の部分は、第２の物理リソース８３２を用いて受信され、マルチユーザ検出器９１４においてマルチユーザ検出（ＭＵＤ）を用いて処理される。マルチユーザ検出器９１４は、干渉除去９１６（干渉キャンセラー９１６）と、ＣＷの第２の部分の復号されたビット（図９において「Ｘ’ｓ」として示される）を生成するためのＮＯＭＡ検出器９１８とを含む。ＮＯＭＡ検出器９１８は、シンボルレベル処理９２０と、復調９２２と、ビットレベル処理９２４と、デコードバッファ９２６における復号されたビットのバッファリングと、ＦＥＣデコード９２８とを含む。
【００４５】
図９において点線で示されるように、逐次干渉除去フィードバックが、干渉除去ブロックに与えられ、複数のＭＵＤ結果が生成される。ＮＯＭＡ検出器９１８を逐次的に通すことを利用することで、干渉を除去し、ＣＷの第２の部分を回復させる。ＣＷの第２の部分のＦＥＣ復号されたビットが、デコードバッファ９０８においてＣＷの第１の部分の復号されたビットとソフト合成される。デコードバッファ９０８は、復号されたビット（図９において「Ｘ’」として示される）をＦＥＣデコーダ９１０に送り、第１のＣＲＣは第１のＣＲＣチェック９１２によって削除され、結果が、逐次干渉除去フィードバックとして干渉除去ブロック９１６に与えられ（図９の点線で示される）、複数のＭＵＤ結果が生成される。ＮＯＭＡ検出が成功すると、データ（図９において「Ｓ’」として示される）は、基地局１２０のプロトコルスタックの上位層に送られる。
【００４６】
方法の例
共有グラントフリー伝送によって支援される第５世代新無線アップリンク多重化の１つ以上の局面に係る方法の例１０００〜１３００を、図１０〜図１３を参照しながら説明する。方法ブロックの記載の順序は、限定として解釈されることを意図している訳ではなく、任意の数の、記載されている方法ブロックを、抜かす、または、任意の順序で組み合わせることにより、方法または代替方法を実現してもよい。一般的に、本明細書に記載のコンポーネント、モジュール、方法、および動作のうちのいずも、ソフトウェア、ファームウェア、ハードウェア（たとえば固定論理回路）、マニュアル処理、または、これらの任意の組み合わせを用いて実現することができる。上記方法の例のいくつかの動作は、コンピュータ処理システムのローカルなおよび／またはリモートのコンピュータ読取可能記憶メモリに格納された実行可能命令の一般的な文脈において説明される場合があり、実装形態は、ソフトウェアアプリケーション、プログラム、機能などを含み得る。これに代えてまたはこれに加えて、本明細書に記載の機能のうちのいずれも、少なくとも部分的に、限定される訳ではないが、フィールドプログラマブルゲートアレイ（Field-programmable Gate Array：ＦＰＧＡ）、特定用途向け集積回路（Application-specific Integrated Circuit：ＡＳＩＣ）、特定用途向け標準製品（Application-specific Standard Product：ＡＳＳＰ）、システムオンチップシステム（System-on-a-chip：ＳｏＣ）、複合プログラマブルロジックデバイス（Complex Programmable Logic Device：ＣＰＬＤ）などのような、１つ以上のハードウェアロジックコンポーネントによって実行することが可能である。
【００４７】
図１０は、一般的にはユーザ機器が送信するトランスポートブロックまたはコードブロックの符号化に関連する、共有グラントフリー伝送によって支援される第５世代新無線アップリンク多重化の方法の例１０００を示す。ブロック１００２において、ユーザ機器は、アップリンクグラントを受信して、トランスポートブロックを第１の物理リソースを用いて送信する。たとえば、ユーザ機器１１０は、基地局１２０からアップリンクグラントを受信して、ｅＭＢＢデータを第１の物理リソースを用いて送信する。
【００４８】
ブロック１００４において、第１のＣＲＣがトランスポートブロックに挿入される。たとえば、図５に示されるように、ＣＲＣ５０４が、ＴＢ５０２に対して計算され、ＴＢ５０２に挿入される。
【００４９】
１００６において、ＵＥは、ＴＢが前方誤り訂正（ＦＥＣ）エンコーダには大き過ぎるか否かを判断し、ＴＢが前方誤り訂正（ＦＥＣ）エンコーダには大き過ぎる場合、ＴＢは１００８において複数のコードブロック（ＣＢ）に分割される。たとえば、ユーザ機器は、ｅＭＢＢデータのＴＢ５０２はＦＥＣエンコーダ６０４には大き過ぎると判断し、ＴＢ５０２をＦＥＣエンコーダ６０４のために複数のＣＢ５１０に分割する。
【００５０】
ブロック１０１０において、ＵＥは第２のＣＲＣを各ＣＢに挿入する。たとえば、図５に示されるように、ユーザ機器は、ＣＲＣを各ＣＢ５１０に挿入する。
【００５１】
ブロック１０１２において、ＵＥは、ＣＲＣを含むＴＢまたはＣＢを符号語（ＣＷ）に符号化する。たとえば、ユーザ機器は、ｅＭＢＢデータの、ＣＲＣを含むＴＢ５０２またはＣＢ５１０を、ＣＷに符号化する。
【００５２】
ブロック１０１４において、ＵＥは、第１の物理リソースの一部についてのプリエンプションインジケータを受信する。たとえば、ユーザ機器は、ＵＲＬＬＣ送信が、ｅＭＢＢ送信に対して付与された第１の物理リソース６１６の一部をプリエンプションするというプリエンプションインジケータを、基地局から受信する。
【００５３】
ブロック１０１６において、ＵＥは、レートマッチングのために、ＵＬグラントおよびプリエンプションインジケータに基づく長さを有する、ＣＷの第１の部分を、選択する。たとえば、ユーザ機器１１１は、基地局１２０から受信したＵＬグラントおよびプリエンプションインジケータに基づいて、ＣＷの第１の部分をレートマッチングのために選択する。
【００５４】
ブロック１０１８において、ＵＥは、プリエンプションされた第１の物理リソースで、ＣＷの第１の部分を送信する。たとえば、ＵＥ１１１はＣＷの第１の部分を送信し、この送信は、ＣＷの第１の部分に対する、ビットレベル処理６０８、変調６１０、シンボルレベル処理６１２、およびリソース割当６１４を含む。
【００５５】
ブロック１０２０において、ＵＥは、ＣＷの第２の部分を選択し、ＣＷの第２の部分のための第２のＣＲＣを挿入する。たとえば、ユーザ機器１１１は、基地局１２０から受信したＵＬグラントおよびプリエンプションインジケータに基づいて、ＣＷの第２の部分を選択し、第２の部分のためのＣＲＣを生成し、レートマッチングのために第２のＣＲＣを挿入する。ＵＥ１１１は、レートマッチングブロック６０６において、ＣＷの第２の部分について任意の始点および長さを選択する、または、サーキュラーバッファから末尾部分を選択することができる。
【００５６】
ブロック１０２２において、ＵＥは、第２の物理リソースでＣＷの第２の部分を送信する。たとえば、ＵＥは、ＣＷの第２の部分を送信し、これは、ＣＷの第２の部分に対する、ビットレベル処理６２６、変調６２８、シンボルレベル処理６３０、およびリソース割当６３２を含む。
【００５７】
図１１は、一般的には基地局によるトランスポートブロックまたはコードブロックの復号に関連する、共有グラントフリー伝送によって支援される第５世代新無線アップリンク多重化の方法の例１１００を示す。
【００５８】
ブロック１１０２において、基地局は、ＵＥから受信した符号語の第１の部分を復号する。たとえば、基地局１２０は、第１の物理リソース６１６を用いてユーザ機器１１１が送信した符号語の第１の部分を受信する。この受信および復号は、シンボルレベル処理７０２、復調７０４、ビットレベル処理７０６、およびデコードバッファ７０８への格納を含む。
【００５９】
ブロック１１０４において、基地局は、マルチユーザ検出を用いて、受信した符号語の第２の部分を検出する。たとえば、基地局１２０は、ユーザ機器が第２の物理リソース６３４を用いて送信した符号語の第２の部分を受信する。マルチユーザ検出器７１４は、第２のＣＲＣが削除された後にＣＷの第２の部分の復号の結果を用いて逐次干渉除去（ＳＩＣ）を適用する。この受信および復号は、シンボルレベル処理７２０、復調７２２、ビットレベル処理７２４、バッファリング７２６、ＦＥＣデコード７２８、および第２のＣＲＣチェック７３０における第２のＣＲＣの削除を含む。
【００６０】
ブロック１１０６において、基地局は、ＣＷの第１の部分の復号が成功しているか否かを判断する。たとえば、基地局１２０は、第１のＣＲＣを用いて、ＣＷの第１の部分の復号が成功したか否かを判断する。これに代えてまたはこれに加えて、基地局１２０は、ＣＷの第２の部分をドロップする。
【００６１】
ブロック１１０８において、基地局が、ＣＷの第１の部分の復号が成功であったと判断した場合、基地局は、肯定応答（Ａｃｋ）をＵＥに送信することができる。たとえば、第１のＣＲＣがＣＷの第１の部分の復号の妥当性を確認した場合、基地局１２０は、ＣＷの復号が成功したことを示すためにＡｃｋをＵＥに送信する。代替例において、第１のＣＲＣがＣＷの第１の部分の復号の妥当性を確認した場合、基地局１２０は、ＣＷの復号が成功したと判断し、肯定応答（Ａｃｋ）をＵＥに送信せずに次の送信に移る。
【００６２】
ブロック１１１０において、基地局が、ＣＷの第２の部分の復号が成功したと判断した場合、基地局は、ＣＷの第１の部分と第２の部分とを合成することにより、合成ＣＷを形成し、この合成符号語を復号する。たとえば、基地局１２０が、ＣＷの第２の部分の復号は成功であったと判断した場合、ＣＷの第１の部分と第２の部分とがデコードバッファ７０８において合成され、合成符号語は、ＦＥＣデコーダ７１０によってＦＥＣ復号される。
【００６３】
ブロック１１１２において、基地局は、合成符号語の復号が成功しているか否かを判断する。たとえば、基地局１２０は、第１のＣＲＣを用いて、ＣＷの復号が成功したか否かを判断する。
【００６４】
ブロック１１１４において、基地局が、合成ＣＷの復号が成功であったと判断した場合、基地局は、肯定応答（Ａｃｋ）をＵＥに送信することができる。たとえば、第１のＣＲＣが合成ＣＷの復号の妥当性を確認した場合、基地局１２０は、合成ＣＷの復号が成功したことを示すためにＡｃｋをＵＥ１１１に送信する。代替例において、第１のＣＲＣが合成ＣＷの復号の妥当性を確認した場合、基地局１２０は、ＣＷの復号が成功したと判断し、肯定応答（Ａｃｋ）をＵＥに送信せずに次の送信に移る。
【００６５】
ブロック１１１６において、ＣＷの第１の部分の復号またはＣＷの第２の部分の検出に失敗した場合、基地局は、ＣＷの第２の部分をドロップする。たとえば、第１のＣＲＣに基づいて、ＣＷの第１の部分の復号が失敗であり、かつ、第２のＣＲＣに基づいて、ＣＷの第２の部分の検出が失敗であった場合、基地局１２０はＣＷの第２の部分をドロップする。
【００６６】
ブロック１１１８において、合成ＣＷの復号が失敗であった場合、基地局は、否定応答（Ｎｃｋ）をＵＥに送信することができる。たとえば、第１のＣＲＣが合成ＣＷの復号の妥当性を確認しない場合、または、第２のＣＲＣがＣＷの第２の部分の検出の妥当性を確認しない場合、基地局１２０はＮｃｋをＵＥ１１１に送信する。代替例において、第１のＣＲＣが合成ＣＷの復号の妥当性を確認しない場合、または、第２のＣＲＣがＣＷの第２の部分の検出の妥当性を確認しない場合、基地局１２０は、ＣＷの再送信のためにＵＬグラントをＵＥ１１１に送信する。
【００６７】
図１２は、一般的にはユーザ機器が送信するトランスポートブロックまたはコードブロックの符号化に関連する、共有グラントフリー伝送によって支援される第５世代新無線アップリンク多重化の方法の例１２００を示す。
【００６８】
ブロック１２０２において、ユーザ機器（ＵＥ）は、アップリンク（ＵＬ）グラントを受信して、トランスポートブロック（ＴＢ）を第１の物理リソースを用いて送信する。たとえば、ユーザ機器１１１は、基地局１２０からアップリンクグラントを受信して、ｅＭＢＢデータを第１の物理リソース８１６を用いて送信する。
【００６９】
ブロック１２０４において、第１のＣＲＣがトランスポートブロックに挿入される。たとえば、図５に示されるように、ＣＲＣ５０４が、ＴＢ５０２に対して計算され、ＴＢ５０２に挿入される。
【００７０】
１２０６において、ＵＥは、ＴＢが前方誤り訂正（ＦＥＣ）エンコーダには大き過ぎるか否かを判断し、ＴＢが前方誤り訂正（ＦＥＣ）エンコーダには大き過ぎる場合、ＴＢは１２０８において複数のコードブロック（ＣＢ）に分割される。たとえば、ユーザ機器１１１は、ｅＭＢＢデータのＴＢ５０２はＦＥＣエンコーダ８０４には大き過ぎると判断し、ＴＢ５０２をＦＥＣエンコーダ８０４のために複数のＣＢ５１０に分割する。
【００７１】
ブロック１２１０において、ＵＥは巡回冗長検査（ＣＲＣ）をＴＢまたはＣＢに挿入する。たとえば、図５に示されるように、ユーザ機器１１１は、ＣＲＣをＴＢ５０２またはＣＢ５１０に挿入する。
【００７２】
ブロック１２１２において、ＵＥは、ＣＲＣを含むＴＢまたはＣＢを符号語（ＣＷ）に符号化する。たとえば、ユーザ機器１１１は、ｅＭＢＢデータの、ＣＲＣ５０４を含むＴＢ５０２またはＣＢ５１０をＣＷに符号化する。
【００７３】
ブロック１２１４において、ＵＥは、第１の物理リソースの一部についてのプリエンプションインジケータを受信する。たとえば、ユーザ機器１１１は、ＵＲＬＬＣ送信が、ｅＭＢＢ送信に対して付与された第１の物理リソース８１６の一部をプリエンプションするというプリエンプションインジケータを、基地局１２０から受信する。
【００７４】
ブロック１２１６において、ＵＥは、レートマッチングのために、ＵＬグラントおよびプリエンプションインジケータに基づく長さを有する、ＣＷの第１の部分を、選択する。たとえば、ユーザ機器１１１は、基地局１２０から受信したＵＬグラントおよびプリエンプションインジケータに基づいて、ＣＷの第１の部分をレートマッチングのために選択する。
【００７５】
ブロック１２１８において、ＵＥは、プリエンプションされた第１の物理リソースで、ＣＷの第１の部分を送信する。たとえば、ＵＥはＣＷの第１の部分を送信し、この送信は、ＣＷの第１の部分に対する、ビットレベル処理８０８、変調８１０、シンボルレベル処理８１２、およびリソース割当８１４を含む。
【００７６】
ブロック１２２０において、ＵＥは、ＣＷの第２の部分を選択する。たとえば、ユーザ機器１１１は、基地局１２０から受信したＵＬグラントおよびプリエンプションインジケータに基づいて、レートマッチングのためにＣＷの第２の部分を選択する。ＵＥは、レートマッチングブロックにおいて、ＣＷの第２の部分について任意の始点および長さを選択する、または、サーキュラーバッファから末尾部分を選択することができる。
【００７７】
ブロック１２２２において、ＵＥは、第２の物理リソースでＣＷの第２の部分を送信する。たとえば、ＵＥ１１１は、ＣＷの第２の部分を送信し、これは、ＣＷの第２の部分に対する、ビットレベル処理８２４、変調８２６、シンボルレベル処理８２８、およびリソース割当８３０を含む。
【００７８】
図１３００は、一般的には基地局によるトランスポートブロックまたはコードブロックの復号に関連する、共有グラントフリー伝送によって支援される第５世代新無線アップリンク多重化の方法の例１３００を示す。
【００７９】
ブロック１３０２において、基地局は、ＵＥから受信した符号語の第１の部分を復号する。たとえば、基地局１２０は、第１の物理リソース８１６を用いてユーザ機器１１１が送信した符号語の第１の部分を受信する。この受信および復号は、シンボルレベル処理９０２、復調９０４、ビットレベル処理９０６、およびデコードバッファ９０８への格納を含む。
【００８０】
ブロック１３０４において、基地局は、マルチユーザ検出を用いて、受信した符号語の第２の部分を検出することにより、複数のＭＵＤ結果を生成する。たとえば、基地局１２０は、ユーザ機器１１１が第２の物理リソース８３２を用いて送信した符号語の第２の部分を受信する。マルチユーザ検出器９１４は、ＣＷの合成された第１の部分および第２の部分の復号の結果を用いて逐次干渉除去（ＳＩＣ）を適用する。この受信および復号は、シンボルレベル処理９２０、復調９２２、ビットレベル処理９２４、バッファリング９２６、およびＦＥＣデコード９２８を含む。
【００８１】
ブロック１３０６において、基地局は、ＣＷの第１の部分の復号が成功しているか否かを判断する。たとえば、基地局１２０は、巡回冗長検査（ＣＲＣ）を用いて、ＣＷの第１の部分の復号が成功したか否かを判断する。
【００８２】
ブロック１３０８において、基地局が、ＣＷの第１の部分の復号が成功であったと判断した場合、基地局１２０は、ブロック１３１０において肯定応答（Ａｃｋ）をＵＥに送信することができる。たとえば、第１のＣＲＣがＣＷの第１の部分の復号の妥当性を確認した場合、基地局１２０は、ＣＷの復号が成功したことを示すＡｃｋをＵＥ１１１に送信する。代替例において、第１のＣＲＣがＣＷの第１の部分の復号の妥当性を確認した場合、基地局１２０は、ＣＷの復号が成功したと判断し、肯定応答（Ａｃｋ）をＵＥに送信せずに、次の送信の復号に進む。
【００８３】
ブロック１３１２において、（ブロック１３０８で）基地局がＣＷの第１の部分の復号が失敗であったと判断した場合、基地局は、ＣＷの第１の部分と第２の部分とを合成することにより、合成ＣＷを形成し、合成符号語を復号する。たとえば、基地局１２０が、ＣＷの第１の部分の復号が失敗であったと判断した場合、デコードバッファにおいてＣＷの第１の部分と第２の部分とが合成され、合成符号語がＦＥＣ復号される。
【００８４】
ブロック１３１４において、基地局は合成符号語の復号が成功しているか否かを判断し、この復号が成功していた場合、基地局は、ブロック１０１０において肯定応答（Ａｃｋ）をＵＥに送信することができる。たとえば、基地局１２０は、ＣＲＣを用いて、合成ＣＷの復号が成功したか否かを判断し、ＣＷの復号が成功したことを示すためにＡｃｋをＵＥ１１１に送信する。代替例において、ＣＲＣが合成ＣＷの復号の妥当性を確認した場合、基地局１２０は、合成ＣＷの復号が成功したと判断し、肯定応答（Ａｃｋ）をＵＥに送信することなく、次の送信の復号に進む。
【００８５】
ブロック１３１６において、基地局が、ブロック１３１４において合成ＣＷの復号が失敗であったと判断した場合、基地局は、その他のＭＵＤ結果を入手できるか否かを判断する。たとえば、ＣＲＣが合成ＣＷの復号の妥当性を確認しない場合、基地局１２０は、逐次干渉除去における別の試みのような、別のＭＵＤ結果を入手できるか否かを判断する。
【００８６】
ブロック１３１８において、別のＭＵＤ結果を入手できる場合、基地局は、別のＭＵＤ結果によって生成されたＣＷの第１の部分と第２の部分とを合成して合成ＣＷを形成し、合成符号語を復号する。たとえば、基地局１２０が、ＣＷの第１の部分の復号が成功であったと判断した場合、別のＭＵＤ結果からのＣＷの第１の部分と第２の部分とをデコードバッファ９０８において合成し、合成符号語をＦＥＣデコーダ９１０によってＦＥＤ復号する。ブロック１３１４、１３１６、および１３１８のプロセスは、その他のＭＵＤ結果が入手できなくなるまで繰り返される。
【００８７】
ブロック１３２０において、すべてのＭＵＤ結果からの合成ＣＷの復号が失敗であった場合、基地局は、否定応答（Ｎｃｋ）をＵＥに送信することができる。たとえば、ＣＲＣが、合成ＣＷの復号のうちのいずれの妥当性も確認しない場合、基地局１２０はＮｃｋをＵＥ１１１に送信する。代替例において、ＣＲＣが合成ＣＷの復号のうちのいずれの妥当性も確認しない場合、基地局１２０は、ＣＷの再送信のためにＵＬグラントをＵＥ１１１に送信する。
【００８８】
共有グラントフリー伝送によって支援される第５世代新無線アップリンク多重化の局面について、特徴および／または方法に固有の表現で説明してきたが、添付の請求項の主題は、記載されている特定の特徴または方法に必ずしも限定されない。むしろ、特定の特徴および方法は、共有グラントフリー伝送によって支援される第５世代新無線アップリンク多重化の実現の例として開示されており、均等であるその他の特徴および方法は添付の請求項の範囲に含まれることが意図されている。さらに、多種多様な局面が記載され、記載されている各局面は、独立して、または、記載されているその他１つ以上の局面と関連して実現することが可能であることが理解されるはずである。
【００８９】
以下、いくつかの例を説明する。
例１：通信のためのユーザ機器として構成された電子デバイスであって、このユーザ機器は、
第１の巡回冗長検査をトランスポートブロックに挿入し、
上記巡回冗長検査を含む上記トランスポートブロックを符号語に符号化し、
第１の物理リソースの一部についてのプリエンプションインジケータを受信し、
レートマッチングのために、受信したアップリンクグラントと上記受信したプリエンプションインジケータとに基づく長さを有する、上記符号語の第１の部分を、選択し、
上記符号語の上記第１の部分を上記第１の物理リソースを用いて送信し、
上記符号語の第２の部分を選択し、
第２の巡回冗長検査を上記符号語の上記選択した第２の部分に挿入し、
上記符号語の上記第２の部分を第２の物理リソースを用いて送信するように、構成されている。
【００９０】
例２：上記ユーザ機器は、上記アップリンクグラントを受信して上記トランスポートブロックを上記第１の物理リソースを用いて送信するように構成されている、例１の電子デバイス。
【００９１】
例３：上記巡回冗長検査を含む上記トランスポートブロックの、上記符号語への上記符号化は、前方誤り訂正符号化を含む、例１または２の電子デバイス。
【００９２】
例４：上記符号語の上記第２の部分の上記送信は、上記符号語の上記第２の部分および上記第２の巡回冗長検査の前方誤り訂正符号化を含む、先行する例の少なくとも１つの電子デバイス。
【００９３】
例５：上記符号語の上記第１の部分は、上記プリエンプションの前の上記トランスポートブロックにおけるビットを含み、上記符号語の上記第２の部分は、上記プリエンプションの後の上記トランスポートブロックにおけるビットを含む、先行する例の少なくとも１つの電子デバイス。
【００９４】
例６：基地局であって、
ユーザ機器から受信した符号語の第１の部分を上記基地局の受信機によって復号し、
上記受信した符号語の第２の部分をマルチユーザ検出器を用いて検出し、
上記符号語の上記第１の部分の上記復号が成功しているか否かを判断し、
１）上記符号語の上記第１の部分の上記復号が成功しているという判断に基づいて、肯定応答を上記ユーザ機器に送信し、
２）上記符号語の上記第１の部分の上記復号が成功しておらず上記符号語の上記第２の部分の上記検出が成功しているという判断に基づいて、
上記符号語の上記第１の部分と上記第２の部分とを合成することにより合成符号語を形成し、
上記合成符号語を復号し、
上記合成符号語の上記復号が成功しているか否かを判断し、
上記合成符号語の上記復号が成功しているという判断に基づいて、肯定応答を上記ユーザ機器に送信する、または、
３）上記符号語の上記第１の部分の上記復号が成功していないこと、もしくは上記合成符号語の上記復号が成功していないことに基づいて、否定応答を上記ユーザ機器に送信するように、構成されている。
【００９５】
例７：上記マルチユーザ検出器は、干渉キャンセラーおよび非直交多元接続検出器を含む、例６の基地局。
【００９６】
例８：上記非直交多元接続検出器は逐次干渉除去フィードバックを上記干渉キャンセラーに与える、例７の基地局。
【００９７】
例９：上記符号語の上記第１の部分と上記第２の部分とを合成することにより上記合成符号語を形成する前に、上記受信機は、上記符号語の上記第２の部分に対して巡回冗長検査を実行することにより、上記合成の前に上記巡回冗長検査を削除する、例６〜８の少なくとも１つの基地局。
【００９８】
例１０：上記マルチユーザ検出器は前方誤り訂正検出器を含む、例６〜９の少なくとも１つの基地局。
【００９９】
例１１：ユーザ機器の送信機における非直交多元接続符号化の方法であって、上記方法は、
上記ユーザ機器が、巡回冗長検査をトランスポートブロックに挿入するステップと、
上記巡回冗長検査を含む上記トランスポートブロックを符号語に符号化するステップと、
第１の物理リソースの一部についてのプリエンプションインジケータを受信するステップと、
レートマッチングのために、受信したアップリンクグラントと上記受信したプリエンプションインジケータとに基づく長さを有する、上記符号語の第１の部分を、選択するステップと、
上記符号語の上記第１の部分を上記第１の物理リソースを用いて送信するステップと、
上記符号語の第２の部分を選択するステップと、
上記符号語の上記第２の部分を第２の物理リソースを用いて送信するステップとを含む。
【０１００】
例１２：上記アップリンクグラントを受信して上記トランスポートブロックを上記第１の物理リソースを用いて送信するステップをさらに含む、例１１の方法。
【０１０１】
例１３：上記巡回冗長検査を含む上記トランスポートブロックを上記符号語に符号化するステップは、前方誤り訂正符号化を含む、例１１または１２の方法。
【０１０２】
例１４：上記符号語の上記第２の部分を送信するステップは、上記符号語の上記第２の部分の前方誤り訂正符号化を含む、例１１〜１３の少なくとも１つの方法。
【０１０３】
例１５：上記符号語の上記第１の部分は、上記プリエンプションの前の上記トランスポートブロックにおけるビットを含み、上記符号語の上記第２の部分は、上記プリエンプションの後の上記トランスポートブロックにおけるビットを含む、例１１〜１４の少なくとも１つの方法。
【０１０４】
例１６：基地局による非直交多元接続復号をユーザ機器から受信する方法であって、上記方法は、
ユーザ機器から受信した符号語の第１の部分を上記基地局が復号するステップと、
上記受信した符号語の第２の部分を、第１のマルチユーザ検出結果を生成するマルチユーザ検出を用いて検出するステップと、
上記符号語の上記第１の部分の上記復号が成功しているか否かを判断するステップと、
１）上記符号語の上記第１の部分の上記復号が成功しているという判断に基づいて、肯定応答を上記ユーザ機器に送信するステップと、
２）上記符号語の上記第１の部分の上記復号が成功していないという判断に基づいて、
上記符号語の上記第１の部分と上記第２の部分とを合成することにより合成符号語を形成するステップと、
上記合成符号語を復号するステップと、
上記合成符号語の上記復号が成功しているか否かを判断するステップと、
上記合成符号語の上記復号が成功しているという判断に基づいて、肯定応答を上記ユーザ機器に送信するステップ、または、
上記合成符号語の上記復号が成功していないという判断に基づいて、
上記符号語の上記第２の部分をドロップするステップと、
上記符号語の上記第１の部分と、第２のマルチユーザ検出結果からの上記符号語の別の第２の部分とを合成することにより第２の合成符号語を生成するステップと、
上記第２の合成符号語の復号が成功しているか否かを判断するステップと、
上記第２の合成符号語の復号が成功しているという判断に基づいて、肯定応答を上記ユーザ機器に送信するステップ、または、
上記第２の合成符号語の復号が成功していない場合または他のマルチユーザ検出結果を入手できない場合、否定応答を上記ユーザ機器に送信するステップとを含む。
【０１０５】
例１７：上記マルチユーザ検出を用いて検出するステップは、干渉除去および非直交多元接続検出を含む、例１６の方法。
【０１０６】
例１８：上記非直交多元接続検出は、逐次干渉除去フィードバックを提供する、例１７の方法。
【０１０７】
例１９：上記マルチユーザ検出を用いて検出するステップは、前方誤り訂正復号を含む、例１６〜１８の少なくとも１つの方法。
【０１０８】
例２０：上記合成符号語を前方誤り訂正復号するステップをさらに含む、例１６〜１９の少なくとも１つの方法。
【図１】
2021517761.tif 000003
【図２】
2021517761.tif 000004
【図３】
2021517761.tif 000005
【図４】
2021517761.tif 000006
【図５】
2021517761.tif 000007
【図６】
2021517761.tif 000008
【図７】
2021517761.tif 000009
【図８】
2021517761.tif 000010
【図９】
2021517761.tif 000011
【図１０】
2021517761.tif 000012
【図１１】
2021517761.tif 000013
【図１２】
2021517761.tif 000014
【図１３】
2021517761.tif 000015
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
通信のためのユーザ機器として構成された電子デバイスであって、前記ユーザ機器は、
第１の巡回冗長検査をトランスポートブロックに挿入し、
前記第１の巡回冗長検査を含む前記トランスポートブロックを符号語に符号化し、
第１の物理リソースの一部についてのプリエンプションインジケータを受信し、
レートマッチングのために、受信したアップリンクグラントと前記受信したプリエンプションインジケータとに基づく長さを有する、前記符号語の第１の部分を、選択し、
前記符号語の前記第１の部分を前記第１の物理リソースを用いて送信し、
前記符号語の第２の部分を選択し、
第２の巡回冗長検査を前記符号語の前記選択した第２の部分に挿入し、
前記符号語の前記第２の部分を第２の物理リソースを用いて送信する
ように構成されている、電子デバイス。
【請求項２】
前記ユーザ機器は、前記アップリンクグラントを受信して前記トランスポートブロックを前記第１の物理リソースを用いて送信するように構成されている、請求項１に記載の電子デバイス。
【請求項３】
前記第１の巡回冗長検査を含む前記トランスポートブロックの、前記符号語への前記符号化は、前方誤り訂正符号化を含む、請求項１または２に記載の電子デバイス。
【請求項４】
前記符号語の前記第２の部分の前記送信は、前記符号語の前記第２の部分および前記第２の巡回冗長検査の前方誤り訂正符号化を含む、請求項１〜３のいずれか１項に記載の電子デバイス。
【請求項５】
前記符号語の前記第１の部分は、前記プリエンプションの前の前記トランスポートブロックにおけるビットを含み、前記符号語の前記第２の部分は、前記プリエンプションの後の前記トランスポートブロックにおけるビットを含む、請求項１〜４のいずれか１項に記載の電子デバイス。
【請求項６】
基地局であって、
ユーザ機器から受信した符号語の第１の部分を前記基地局の受信機によって復号し、
前記受信した符号語の第２の部分をマルチユーザ検出器を用いて検出し、
前記符号語の前記第１の部分の前記復号が成功しているか否かを判断し、
１）前記符号語の前記第１の部分の前記復号が成功しているという判断に基づいて、肯定応答を前記ユーザ機器に送信し、
２）前記符号語の前記第１の部分の前記復号が成功しておらず前記符号語の前記第２の部分の前記検出が成功しているという判断に基づいて、
前記符号語の前記第１の部分と前記第２の部分とを合成することにより合成符号語を形成し、
前記合成符号語を復号し、
前記合成符号語の前記復号が成功しているか否かを判断し、
前記合成符号語の前記復号が成功しているという判断に基づいて、肯定応答を前記ユーザ機器に送信する、または、
３）前記符号語の前記第１の部分の前記復号が成功していないこと、もしくは前記合成符号語の前記復号が成功していないことに基づいて、否定応答を前記ユーザ機器に送信する
ように構成されている、基地局。
【請求項７】
前記マルチユーザ検出器は、干渉キャンセラーおよび非直交多元接続検出器を含む、請求項６に記載の基地局。
【請求項８】
前記非直交多元接続検出器は逐次干渉除去フィードバックを前記干渉キャンセラーに与える、請求項７に記載の基地局。
【請求項９】
前記符号語の前記第１の部分と前記第２の部分とを合成することにより前記合成符号語を形成する前に、前記受信機は、前記符号語の前記第２の部分に対して巡回冗長検査を実行することにより、前記合成の前に前記巡回冗長検査を削除する、請求項６〜８のいずれか１項に記載の基地局。
【請求項１０】
前記マルチユーザ検出器は前方誤り訂正検出器を含む、請求項６〜９のいずれか１項に記載の基地局。
【請求項１１】
ユーザ機器の送信機における非直交多元接続符号化の方法であって、前記方法は、
前記ユーザ機器が、巡回冗長検査をトランスポートブロックに挿入するステップと、
前記巡回冗長検査を含む前記トランスポートブロックを符号語に符号化するステップと、
第１の物理リソースの一部についてのプリエンプションインジケータを受信するステップと、
レートマッチングのために、受信したアップリンクグラントと前記受信したプリエンプションインジケータとに基づく長さを有する、前記符号語の第１の部分を、選択するステップと、
前記符号語の前記第１の部分を前記第１の物理リソースを用いて送信するステップと、
前記符号語の第２の部分を選択するステップと、
前記符号語の前記第２の部分を第２の物理リソースを用いて送信するステップとを含む、方法。
【請求項１２】
前記アップリンクグラントを受信して前記トランスポートブロックを前記第１の物理リソースを用いて送信するステップをさらに含む、請求項１１に記載の方法。
【請求項１３】
前記巡回冗長検査を含む前記トランスポートブロックを前記符号語に符号化するステップは、前方誤り訂正符号化を含む、請求項１１または１２に記載の方法。
【請求項１４】
前記符号語の前記第２の部分を送信するステップは、前記符号語の前記第２の部分の前方誤り訂正符号化を含む、請求項１１〜１３のいずれか１項に記載の方法。
【請求項１５】
前記符号語の前記第１の部分は、前記プリエンプションの前の前記トランスポートブロックにおけるビットを含み、前記符号語の前記第２の部分は、前記プリエンプションの後の前記トランスポートブロックにおけるビットを含む、請求項１１〜１４のいずれか１項に記載の方法。
【請求項１６】
基地局による非直交多元接続復号をユーザ機器から受信する方法であって、前記方法は、
ユーザ機器から受信した符号語の第１の部分を前記基地局が復号するステップと、
前記受信した符号語の第２の部分を、第１のマルチユーザ検出結果を生成するマルチユーザ検出を用いて検出するステップと、
前記符号語の前記第１の部分の前記復号が成功しているか否かを判断するステップと、
１）前記符号語の前記第１の部分の前記復号が成功しているという判断に基づいて、肯定応答を前記ユーザ機器に送信するステップ、または、
２）前記符号語の前記第１の部分の前記復号が成功していないという判断に基づいて、
前記符号語の前記第１の部分と前記第２の部分とを合成することにより合成符号語を形成するステップと、
前記合成符号語を復号するステップと、
前記合成符号語の前記復号が成功しているか否かを判断するステップと、
前記合成符号語の前記復号が成功しているという判断に基づいて、肯定応答を前記ユーザ機器に送信するステップ、または、
前記合成符号語の前記復号が成功していないという判断に基づいて、
前記符号語の前記第２の部分をドロップするステップと、
前記符号語の前記第１の部分と、第２のマルチユーザ検出結果からの前記符号語の別の第２の部分とを合成することにより第２の合成符号語を生成するステップと、
前記第２の合成符号語の復号が成功しているか否かを判断するステップと、
前記第２の合成符号語の復号が成功しているという判断に基づいて、肯定応答を前記ユーザ機器に送信するステップ、または、
前記第２の合成符号語の復号が成功していない場合または他のマルチユーザ検出結果を入手できない場合、否定応答を前記ユーザ機器に送信するステップとを含む、方法。
【請求項１７】
前記マルチユーザ検出を用いて検出するステップは、干渉除去および非直交多元接続検出を含む、請求項１６に記載の方法。
【請求項１８】
前記非直交多元接続検出は、逐次干渉除去フィードバックを提供する、請求項１７に記載の方法。
【請求項１９】
前記マルチユーザ検出を用いて検出するステップは、前方誤り訂正復号を含む、請求項１６〜１８のいずれか１項に記載の方法。
【請求項２０】
前記合成符号語をＦＥＣ復号するステップをさらに含む、請求項１６〜１９のいずれか１項に記載の方法。
【手続補正２】
【補正対象書類名】明細書
【補正対象項目名】００２８
【補正方法】変更
【補正の内容】
【００２８】
アップリンク多重化
図４は、共有グラントフリー伝送によって支援される第５世代新無線アップリンク多重化の１つ以上の局面に係るアップリンクプリエンプションシグナリングの一例を示す。ワイヤレスリンク１３０はダウンリンク（ＤＬ）４０２およびアップリンク（ＵＬ）４０４として示されており、アップリンク４０４は物理アップリンク共有チャネル（Physical Uplink Shard Channel：ＰＵＳＣＨ）である。ダウンリンク４０２およびアップリンク４
０４は複数のタイムスロット４０６に分割されている。ダウンリンクの第１のタイムスロットにおいて、基地局１２０は、４０８で、ｅＭＢＢデータを第３のＵＬスロットで送信するためのＵＬリソースをＵＥ１１１に付与する。第２のダウンリンクタイムスロットにおいて、基地局１２０は、４１０で、第３のアップリンクタイムスロットにおける第２のＵＥ（ＵＥ１１２）によるＵＲＬＬＣ送信のために、ＵＥ１１１のｅＭＢＢ送信用に付与されたアップリンクリソースの一部のプリエンプションをＵＥ１１２が行うことを示すアップリンクプリエンプション指示を、送信する。基地局１２０は、４１２で、ＵＥ１１１からのｅＭＢＢ送信を受信し始める。基地局１２０がＵＥ１１２から受信するＵＲＬＬＣ送信は、４１４でｅＭＢＢ送信をパンクチャリングし、基地局１２０は、ｅＭＢＢ送信の残りを、パンクチャリング後に４１６で受信する。パンクチャリングを回避する、または、スロットのプリエンプションされていない部分においてｅＭＢＢデータの一部を送信するのを回避するためにｅＭＢＢ送信を再スケジューリングするのではなくパワー分割多重化を用いることにより、ＵＲＬＬＣ通信のリアルタイム低遅延要件にも対応しつつ、アップリンクリソース利用率を高める。
【手続補正３】
【補正対象書類名】明細書
【補正対象項目名】００７８
【補正方法】変更
【補正の内容】
【００７８】
図１３は、一般的には基地局によるトランスポートブロックまたはコードブロックの復号に関連する、共有グラントフリー伝送によって支援される第５世代新無線アップリンク多重化の方法の例１３００を示す。
【手続補正４】
【補正対象書類名】明細書
【補正対象項目名】００８４
【補正方法】変更
【補正の内容】
【００８４】
ブロック１３１４において、基地局は合成符号語の復号が成功しているか否かを判断し、この復号が成功していた場合、基地局は、ブロック１３１０において肯定応答（Ａｃｋ）をＵＥに送信することができる。たとえば、基地局１２０は、ＣＲＣを用いて、合成ＣＷの復号が成功したか否かを判断し、ＣＷの復号が成功したことを示すためにＡｃｋをＵＥ１１１に送信する。代替例において、ＣＲＣが合成ＣＷの復号の妥当性を確認した場合、基地局１２０は、合成ＣＷの復号が成功したと判断し、肯定応答（Ａｃｋ）をＵＥに送信することなく、次の送信の復号に進む。
【国際調査報告】
2021517761.tif 000016
2021517761.tif 000017
2021517761.tif 000018
2021517761.tif 000019
2021517761.tif 000020